(57)【要約】【課題】消費電力を抑えることができるヒートポンプ式給湯装置を提供することにある。【解決手段】タンクユニット１００とヒートポンプユニット２００とを備えたヒートポンプ式給湯装置において、タンクユニット１００はユニット間のデータ通信用の直流電源回路１０３と、該直流電源回路１０３への交流電源の供給又は供給停止を切り替えるリレースイッチＲＳ１１を備え、主制御部１０２はユニット間のデータ通信処理を行う際にのみ前記リレースイッチＲＳ１１を制御して、直流電源回路１０３による直流電源を供給する。【選択図】  図１
2009174789.tif 000002
【特許請求の範囲】
【請求項１】
室外に設置された熱交換器と、供給された水を前記熱交換器により得られた熱で加熱する給湯器とを備えたヒートポンプ式給湯装置において、
給湯器の制御装置は、熱交換器の制御装置とのデータ通信用で用いられる通信制御部と、該通信制御部によるデータ通信に用いられる直流電源を供給する直流電源回路と、前記通信制御部を用いたデータ通信や給湯器の運転制御を行う主制御部と、前記直流電源による直流電源の供給又は供給停止を切り替えるスイッチ手段を備えるとともに、
前記主制御部は通信制御部を用いた通信を行う際にのみ直流電源を供給するよう前記スイッチ手段を制御する
ことを特徴とするヒートポンプ式給湯装置。
【請求項２】
前記直流電源回路は定電圧化のためのツェナーダイオードを備えるとともに前記スイッチ手段は前記ツェナーダイオードへの通電又は通電停止を切り替える
ことを特徴とする請求項１記載のヒートポンプ式給湯装置。
【発明の詳細な説明】
【技術分野】
【０００１】
本発明は、ヒートポンプを熱源とした給湯装置に関し、特に省電力技術に関する。
【背景技術】
【０００２】
従来、この種のヒートポンプ式給湯装置としては特許文献１に記載されたものが知られている。特許文献１に記載のものは、熱交換器等を有するヒートポンプユニットと、貯湯タンクや給水ポンプ等を備えたタンクユニットとを備え、ヒートポンプユニットで得た熱を用いてタンクユニット内で水を加熱・貯湯し、必要時に給湯する。ヒートポンプユニットとタンクユニットとの間は３芯の信号線により接続されている。タンクユニットには商用交流電源が供給される。一方、ヒートポンプユニットは信号線を介してタンクユニットから商用交流電源の供給を受ける。信号線による交流電源の供給は該信号線のうち２芯を用いて行われる。また、ヒートポンプユニットの制御装置とタンクユニットの制御装置との間では前記信号線を介して双方向のデータ通信を行う。信号線によるデータ通信は該信号線のうち２芯を用いて行われる。すなわち、信号線のうち１つの芯線は、交流電源とデータ通信の伝送を共用している。なお、信号線として４芯ではなく３芯のものを用いている理由としては、細い信号線なので配線が容易である点及び３芯の信号線は市場に多く流通しておりコストも安い点が挙げられる。この種の２つのユニット間の接続技術としては例えば特許文献２に同様のものが記載されてている。
【０００３】
特許文献２に記載のものでは、整流用ダイオード・定電圧化用のツェナーダイオード・平滑用のコンデンサを備えた直流電源回路を備えている。該直流電源回路は専らデータ通信の伝送に用いられるものである。直流電源回路により供給される直流は信号線を含むユニット間をまたぐ閉回路に流すように接続されており、該閉回路に流れる電流をフォトカプラによりオン・オフすることによりユニット間の通信を実現している。
【特許文献１】特開２００７−１９２４９９号公報
【特許文献２】特開平８−２７０１２２号公報
【発明の開示】
【発明が解決しようとする課題】
【０００４】
しかし、従来の給湯装置では、ユニット間の通信を行わない場合であっても、信号線を含む閉回路に直流電源回路からの直流電源が供給されているため、消費電力が大きいものとなっていた。具体的には、無通信時であっても０．５〜１．０Ｗ程度の電力が消費されていた。
【０００５】
本発明は、上記事情に鑑みてなされたものであり、その目的とするところは、消費電力を抑えることができるヒートポンプ式給湯装置を提供することにある。
【課題を解決するための手段】
【０００６】
上記目的を達成するために、本発明は、室外に設置された熱交換器と、供給された水を前記熱交換器により得られた熱で加熱する給湯器とを備えたヒートポンプ式給湯装置において、給湯器の制御装置は、熱交換器の制御装置とのデータ通信用で用いられる通信制御部と、該通信制御部によるデータ通信に用いられる直流電源を供給する直流電源回路と、前記通信制御部を用いたデータ通信や給湯器の運転制御を行う主制御部と、前記直流電源による直流電源の供給又は供給停止を切り替えるスイッチ手段を備えるとともに、前記主制御部は通信制御部を用いた通信を行う際にのみ直流電源を供給するよう前記スイッチ手段を制御することを特徴とする。
【０００７】
本発明によれば、主制御部が通信制御部を用いた通信を行わない間はスイッチ手段の制御により直流電源回路による直流電源の供給が停止する。したがって、無通信時の電力消費を抑えることができる。
【０００８】
本発明の好適な態様の一例としては、前記ヒートポンプ式給湯装置において、前記直流電源回路は定電圧化のためのツェナーダイオードを備えるとともに前記スイッチ手段は前記ツェナーダイオードへの通電又は通電停止を切り替えることを特徴とするものが挙げられる。本発明によれば、無通信時にはツェナーダイオードへの通電が停止するので、該素子による電力消費を削減できる。
【発明の効果】
【０００９】
以上説明したように本発明によれば、主制御部が通信制御部を用いた通信を行わない間はスイッチ手段の制御により直流電源回路による直流電源の供給が停止する。したがって、無通信時の電力消費を抑えることができる。
【発明を実施するための最良の形態】
【００１０】
本発明の一実施の形態にかかるヒートポンプ式給湯装置について図面を参照して説明する。図１及び図２はヒートポンプ式給湯装置の運転制御装置の回路図である。なお、図１及び図２では説明の簡単のため本願発明の特徴的な点に関する点について記載した。
【００１１】
ヒートポンプ式給湯装置は、図１及び図２に示すように、室外に設置され熱交換器を有するヒートポンプユニット２００と、貯湯タンクや給湯ポンプを備え前記ヒートポンプユニットで得られた熱を用いて水を加熱・給湯するタンクユニット１００とを、３芯の信号線３００で接続したものである。タンクユニット１００には、単相二線式の商用交流電源１が供給される。
【００１２】
タンクユニット１００は、図１に示すように、商用交流電源１を信号線３００の第１の芯線３０１及び第３の芯線３０３に供給する。また、タンクユニット１００において、商用交流電源１は給湯ポンプ等の交流を電源とする負荷装置１０１に供給されるほか、直流電源回路（図示省略）に供給される。タンクユニット１００は、マイコン等で構成される主制御部１０２を備えている。この主制御部１０２は、前記直流電源回路（図示省略）により供給される直流電源により動作する。
【００１３】
タンクユニット１００において、ヒートポンプユニット２００とのデータ通信用の直流電源は、電流制限用の抵抗器Ｒ１１、整流用のダイオードＤ１１、電圧制限用のツェナーダイオードＺＤ１１、平滑用コンデンサＣ１１からなるデータ通信用の直流電源回路１０３により得られる。この直流電源回路１０３への交流電源の供給はリレースイッチＲＳ１１により制御される。また、この直流電源回路１０３により供給される直流電源は、ヒートポンプユニット２００との間で形成された閉回路を流れる。タンクユニット１００の通信制御部は通信電文に対応させて該直流電源の流れを後述するフォトカプラで制御することによりヒートポンプユニット２００とのデータ通信を図っている。以下、直流電源回路１０３の接続形態及びタンクユニット１００の通信制御部の回路構成について説明する。
【００１４】
電源回路１０３の負極側は信号線３００の第３の芯線３０３に接続する。一方、電源回路１０３の正極側は、受信用フォトカプラＰＣ１１の発光側、送信用フォトカプラＰＣ１２の受光側、逆流防止用のダイオードＤ１２、フィルタ回路を構成する抵抗器Ｒ１２を介して信号線３００の第２の芯線３０２に接続する。前記ダイオードＤ１２の下流には、逆流防止用のダイオードＤ１３が前記電源回路１０３に並列に接続されている。また、ダイオードＤ１３の下流には、前記フィルタ回路を構成するコンデンサＣ１２が並列に接続されている。前記受信用フォトカプラＰＣ１１の受光側、送信用フォトカプラＰＣ１２の発光側は、前記主制御部１０２に接続されている。また、主制御部１０２には、前記リレースイッチＲＳ１１と連動したリレーコイルＲＬ１１が接続されている。
【００１５】
ヒートポンプユニット２００は、図２に示すように、信号線３００の第１の芯線３０１及び第３の芯線３０３により供給される商用交流電源により動作する。該商用交流電源は、圧縮機や送風器等の交流を電源とする負荷装置２０１に供給されるほか、直流電源回路（図示省略）に供給される。ヒートポンプユニット２００は、マイコン等で構成される主制御部２０２を備えており、該主制御部２０２は前記直流電源回路により供給される直流電源により動作する。
【００１６】
信号線３００の第２の芯線及び第３の芯線を用いて伝送される通信データは、抵抗器Ｒ２１及びコンデンサＣ２１からなるフィルタ回路、逆流防止用のダイオードＤ２１、電圧制限用のツェナーダイオードＺＤ２１を介して、受信用フォトカプラＰＣ２１の発光側、送信用フォトカプラＰＣ２２の送信側に供給される。受信用フォトカプラＰＣ２１の受光側、送信用フォトカプラＰＣ２２の発光側は、前記主制御部２０２に接続されている。
【００１７】
次に、タンクユニット１００の主制御部１０２の動作について図３を参照して説明する。図３はデータ通信を行う際の主制御部１０２の動作を説明するフローチャートである。主制御部１０２は、無通信時にはリレーコイルＲＬ１１への通電を制御してリレースイッチＲＳ１１を開状態にすることによりデータ通信用の直流電源回路１０３への交流電源の供給を停止している。そして、主制御部１０２は、ヒートポンプユニット２００との通信を行う際には、リレーコイルＲＬ１１への通電を制御してリレースイッチＲＳ１１を閉状態にすることによりデータ通信用の直流電源回路１０３への交流電源の供給を開始する（ステップＳ１）。これによりユニット間でデータ通信可能な状態となるので、主制御部１０２は受信用フォトカプラＰＣ１１及び送信用フォトカプラＰＣ１２を用いてデータ通信処理を行う（ステップＳ２）。主制御部１０２は必要なデータ通信処理が終了すると、リレーコイルＲＬ１１への通電を制御してリレースイッチＲＳ１１を開状態にすることによりデータ通信用の直流電源回路１０３への交流電源の供給を停止する（ステップＳ３）。
【００１８】
このように、本実施の形態にかかるヒートポンプ式給湯装置によれば、タンクユニット１００のデータ通信用の直流電源回路１０３にはデータ通信を行うときのみ交流電源が供給される。換言すれば、無通信時には直流電源回路１０３には交流電源が供給されない。これにより、無通信時における電力消費を抑えることができる。
【００１９】
以上本発明の一実施の形態について詳述したが本発明はこれに限定されるものではない。例えば、上記実施の形態ではデータ通信用の直流電源回路１０３として図１に示すものを挙げたが、どのような電源回路であっても本発明を実施することができる。また、上記実施の形態では、直流電源回路１０３への交流電源の供給又は供給停止を切り替えるためのスイッチ手段として、リレースイッチを用いたがトランジスタ等の他のスイッチング素子を用いてもよい。
【図面の簡単な説明】
【００２０】
【図１】ヒートポンプ式給湯装置の通信制御装置の回路図
【図２】ヒートポンプ式給湯装置の通信制御装置の回路図
【図３】タンクユニットの主制御部の動作を説明するフローチャート
【符号の説明】
【００２１】
１…商用交流電源、１００…タンクユニット、１０２…主制御部、１０３…直流電源回路、ＲＳ１１…リレースイッチ、ＲＬ１１…リレーコイル、ＰＣ１１…受信用フォトカプラ、ＰＣ１２…送信用フォトカプラ、２００…ヒートポンプユニット、２０２…主制御部、ＰＣ２１…受信用フォトカプラ、ＰＣ２２…送信用フォトカプラ、３００…信号線
【図１】
2009174789.tif 000003
【図２】
2009174789.tif 000004
【図３】
2009174789.tif 000005